(57)【要約】【課題】複数サイズの瓶に適用でき、収容箱に用いて好適な段ボール製の緩衝部材を提供する。【解決手段】外箱内に配置され、瓶２Ｂの側面及び底面への衝撃を吸収する緩衝部材２０であって、緩衝部材２０は、瓶２Ｂの側面を被う複数の側面シート部２１と、この複数の側面シート部２１の一端側に付設された第１補助シート部２２と、側面シート部２１の他端側に付設され、第１補助シート部２２より枚数の多い第２補助シート部２３とを備え、第１補助シート部２２と第２補助シート部２３を側面緩衝シートと底面緩衝シートとして選択的に使用して収容スペースの幅サイズ（胴周り）と深さを調整する。【選択図】図７
2007320587.tif 000002
【特許請求の範囲】
【請求項１】
外箱内に配置され、瓶の側面及び底面への衝撃を吸収する緩衝部材であって、
前記瓶の側面を被う複数の側面シート部と、この複数の側面シート部の一端側に付設された第１補助シート部と、前記側面シート部の他端側に付設され、前記第１補助シート部より枚数の多い第２補助シート部と、を備えたことを特徴とする緩衝部材。
【請求項２】
側面部と底面部と蓋部とを有する外箱と、この外箱内に配置され、瓶の側面及び底面への衝撃を吸収する緩衝部材とを備えた収容箱であって、
前記緩衝部材は、瓶の側面を被う複数の側面シート部と、この複数の側面シート部の一端側に付設された第１補助シート部と、前記側面シート部の他端側に付設され、前記第１補助シート部より枚数の多い第２補助シート部と、を備えたことを特徴とする収容箱。
【請求項３】
請求項２記載の収容箱であって、
前記外箱の蓋部は、複数の側面シート部の内で、互いに対向する一方の側面シート部より上方に形成されたロック用蓋シート部と、互いに対向する他方の側面シート部より上方に形成された被ロック用内蓋シート部と、他の側面シート部より上方に形成された内蓋シート部とを有し、前記ロック用蓋シート部の先端部に折り返しによる撓み係止部を有するロック部が設けられ、前記被ロック用内蓋シート部にロック部が挿入されるロック孔が設けられ、このロック孔に挿入された前記ロック部の前記撓み係止部が撓み復帰変形してロックされることを特徴とする収容箱。
【請求項４】
請求項３記載の収容箱であって、
前記被ロック用内蓋シート部が最初に内側スペースに折り込まれ、２枚の内蓋シート部が次に内側スペースに折り込まれ、ロック用蓋シート部が最後に内側スペースに折り込まれていることを特徴とする収容箱。
【発明の詳細な説明】
【技術分野】
【０００１】
本発明は、瓶への衝撃を吸収するために外箱内に配置する緩衝部材、及び、これを用いた収容箱に関する。
【背景技術】
【０００２】
ガラス、陶磁器、セラミック等の衝撃によって破損し易い材料によって形成された瓶類は、運搬等を行う場合には、破損を防止するために収容箱に収容される。かかる従来の収容箱としては、例えば、特許文献１に開示されたものがある。
【０００３】
この収容箱１００は、図１３に示すように、外箱１０１と、この外箱１０１内に配置される緩衝部材１０２とを備えている。外箱１０１は、底面部（図示せず）と、４つの側面部１０１ａと、この３つの側面部１０１ａより上方に形成された３枚の中蓋シート部１０１ｂと、１つの側面部１０１ａより上方に形成された蓋シート部１０１ｃとから構成されている。緩衝部材１０２は、偏平方形状を有し、その上面には瓶１０３の幅サイズ（胴周り）に対応する凹部１０２ａが形成されている。
【０００４】
外箱１０１内に緩衝部材１０２を配置し、この緩衝部材１０２の凹部１０２ａに入り込ませた状態で瓶類１０３を外箱１０１内に収容する。そして、３枚の中蓋シート部１０１ｂを先ず内側スペースに折り込み、最後に、蓋シート部１０１ｃを内側スペースに折り込む。内部の瓶１０３は、外箱１０１の中蓋シート部１０１ｂと緩衝部材１０２とによって上下方向の移動が規制されると共にこれらによって上下方向の衝撃が吸収される。瓶１０３は、緩衝部材１０２によって水平方向の移動が規制されると共に緩衝部材１０２によって水平方向の衝撃が吸収される。
【０００５】
ところで、例えば、日本酒の４合瓶としては、単一のサイズではなく、幅サイズ（胴周り）が小さく、高さが高い瓶と、幅サイズ（胴周り）が大きく、高さが低い瓶とが存在する。これら２種類の瓶は、同一の緩衝部材や外箱によって収容できれば使い勝手が良い。
【特許文献１】特開２００２−２０５７６６号公報
【発明の開示】
【発明が解決しようとする課題】
【０００６】
しかしながら、前記従来の緩衝部材１０２は、１種類のサイズの瓶１０３にしかサイズが適応しない。従って、複数サイズの瓶を収容するためには、複数サイズの緩衝部材、及び、外箱を用意する必要があった。
【０００７】
そこで、本発明は、前記した課題を解決すべくなされたものであり、複数サイズの瓶類に適用できる段ボール製の緩衝部材、及び、これを用いた段ボール製の収容箱を提供することを目的とする。
【課題を解決するための手段】
【０００８】
請求項１の発明は、外箱内に配置され、瓶の側面及び底面への衝撃を吸収する緩衝部材であって、前記瓶の側面を被う複数の側面シート部と、この複数の側面シート部の一端側に付設された第１補助シート部と、前記側面シート部の他端側に付設され、前記第１補助シート部より枚数の多い第２補助シート部とを備えたことを特徴とする。
【０００９】
請求項２の発明は、側面部と底面部と蓋部とを有する外箱と、この外箱内に配置され、瓶の側面及び底面への衝撃を吸収する緩衝部材とを備えた収容箱であって、前記緩衝部材は、瓶の側面を被う複数の側面シート部と、この複数の側面シート部の一端側に付設された第１補助シート部と、前記側面シート部の他端側に付設され、前記第１補助シート部より枚数の多い第２補助シート部とを備えたことを特徴とする。
【００１０】
請求項３の発明は、請求項２記載の収容箱であって、前記外箱の蓋部は、複数の側面シート部の内で、互いに対向する一方の側面シート部より上方に形成されたロック用蓋シート部と、互いに対向する他方の側面シート部より上方に形成された被ロック用内蓋シート部と、他の側面シート部より上方に形成された内蓋シート部とを有し、前記ロック用蓋シート部の先端部に折り返しによる撓み係止部を有するロック部が設けられ、前記被ロック用内蓋シート部にロック部が挿入されるロック孔が設けられ、このロック孔に挿入された前記ロック部の前記撓み係止部が撓み復帰変形してロックされることを特徴とする。
【００１１】
請求項４の発明は、請求項３記載の収容箱であって、前記被ロック用内蓋シート部が最初に内側スペースに折り込まれ、２枚の内蓋シート部が次に内側スペースに折り込まれ、ロック用蓋シート部が最後に内側スペースに折り込まれていることを特徴とする。
【発明の効果】
【００１２】
請求項１の発明によれば、枚数の少ない第１補助シート部を側面シート部の内側に折り畳むことなく側面緩衝シートとし、枚数の多い第２補助シート部を内側に折り曲げて底面緩衝シートとすることによって、緩衝部材内に幅サイズ（胴周り）が大きく、深さが浅い収容スペースを形成できるため、幅サイズ（胴周り）が大きく、且つ、高さが低い瓶を外箱内に移動不能に収容できる。枚数の多い第２補助シート部を側面シート部の内側に折り畳んで側面緩衝シートとし、枚数の少ない第１補助シート部を内側に折り曲げて底面緩衝シートとすることによって、緩衝部材内に幅サイズ（胴周り）が小さく、深さが深い収容スペースを形成できるため、幅サイズ（胴周り）が小さく、且つ、高さが高い瓶を外箱内に移動不能に収容できる。以上より、複数サイズの瓶に適用できる緩衝部材を提供できる。
【００１３】
請求項２の発明によれば、枚数の少ない第１補助シート部を側面シート部の内側に折り畳むことなく側面緩衝シートとし、枚数の多い第２補助シート部を内側に折り曲げて底面緩衝シートとすることによって、緩衝部材内に幅サイズ（胴周り）が大きく、深さが浅い収容スペースを形成できるため、幅サイズ（胴周り）が大きく、且つ、高さが低い瓶を外箱内に移動不能に収容できる。枚数の多い第２補助シート部を側面シート部の内側に折り畳んで側面緩衝シートとし、枚数の少ない第１補助シート部を内側に折り曲げて底面緩衝シートとすることによって、緩衝部材内に幅サイズ（胴周り）が小さく、深さが深い収容スペースを形成できるため、幅サイズ（胴周り）が小さく、且つ、高さが高い瓶を外箱内に移動不能に収容できる。以上より、複数サイズの瓶を同じ緩衝部材を用いて収容できる。
【００１４】
請求項３の発明によれば、外箱の一部を破損しない限りロック部を解除できない。従って、収容箱にシークレット性を持たせることができる。
【００１５】
請求項４の発明によれば、外箱のロック状態では、外箱の底面側の隙間より指などを侵入させようとすると、緩衝部材によって侵入が阻止され、また、外箱の蓋部の隙間より指などを侵入させようとすると、２枚の内蓋シート部及び被ロック用内蓋シート部によって侵入が阻止される。以上より、収容箱に高度なシークレット性を持たせることができる。
【発明を実施するための最良の形態】
【００１６】
以下、本発明の一実施形態を図面に基づいて説明する。
【００１７】
図１〜図１２は本発明の一実施形態を示し、図１は蓋部のロック後の収容箱の全体斜視図、図２は蓋部のロック前の収容箱の全体斜視図、図３は外箱のロック構造を示す断面図、図４は幅サイズ（胴周り）が大きく、高さが低い瓶を収容した状態を示す収容箱の断面図、図５は幅サイズ（胴周り）が大きく、高さが低い瓶を収容する場合の緩衝部材の斜視図、図６は幅サイズ（胴周り）が小さく、高さが高い瓶を収容した状態を示す収容箱の断面図、図７は幅サイズ（胴周り）が小さく、高さが高い瓶を収容する場合の緩衝部材の斜視図、図８は外箱の段ボール型シートの平面図、図９は緩衝部材の段ボール型シートの平面図、図１０は緩衝部材の段ボール型シートの組み立て過程を示す斜視図、図１１は緩衝部材の段ボール型シートの組み立て過程を示す斜視図、図１２は開放用つまみ片を外側に引っ張った状態の収容箱の斜視図である。
【００１８】
図１〜図７に示すように、収容箱１は、日本酒の４合入りの瓶２Ａ，２Ｂを選択的に収容するものである。この収容箱１は、段ボール材よりそれぞれ形成された外箱１０とこの内部に配置される緩衝部材２０とから構成されている。外箱１０は、底面部１１と、この底面部１１から立設された側面部１２と、この側面部１２の上方より延設された蓋部１３とから構成されている。
【００１９】
底面部１１は、４枚の底面片１１ａから成り、これら底面片１１ａが互いに組み合わせることによって形成されている。側面部１２は、４枚の側面シート部１２ａ〜１２ｄから成り、４枚の側面シート部１２ａ〜１２ｄには開放用つまみ片１４とこれに連続する切り取り線１５が形成されている。
【００２０】
蓋部１３は、４つの側面シート部１２ａの内で、互いに対向する一方の側面シート部１２ａより上方に形成されたロック用蓋シート部１３ａと、互いに対向する他方の側面シート部１２ｂより上方に形成された被ロック用内蓋シート部１３ｂと、他の２枚の側面シート部１２ｃ，１２ｄより上方に形成された内蓋シート部１３ｃ，１３ｄとを有する。ロック用蓋シート部１３ａの先端部には、折り返しによる撓み係止部１６ａを有するロック部１６が設けられている。被ロック用内蓋シート部１３ｂには、ロック部１６が挿入される細長いロック孔１７が設けられている。そして、図３に示すように、ロック部１６がロック孔１７に挿入され、ロック孔１７に挿入されたロック部１６の撓み係止部１６ａが撓み復帰変形してロックされる。
【００２１】
また、蓋部１３は、図２に示すように、被ロック用内蓋シート部１３ｂが最初に内側スペースに折り込まれ、２枚の内蓋シート部１３ｃ，１３ｄが次に内側スペースに折り込まれ、ロック用蓋シート部１３ａが最後に内側スペースに折り込まれる。
【００２２】
緩衝部材２０は、瓶３０の側面を被う４枚の側面シート部２１と、この４枚の側面シート部２１の一端側に付設された１枚の第１補助シート部２２と、側面シート部２１の他端側に付設された４枚の第２補助シート部２３とから構成されている。そして、図４及び図５に示すように、幅サイズ（胴周り）が大きく、高さが低い瓶２Ａを収容する場合には、４枚の第２補助シート部２３が中底シートとして使用され、１枚の第１補助シート部２２が延長側面シートとして使用されている。図６及び図７に示すように、幅サイズ（胴周り）が小さく、高さが高い瓶２Ｂを収容する場合には、１枚の第１補助シート部２２が底面緩衝シートとして使用され、４枚の第２補助シート部２３が側面緩衝シートとして使用されている。
【００２３】
この収容箱１の外箱１０及び緩衝部材２０は、図８及び図９に示す単一の段ボール型シート１０Ａ，２０Ａよりそれぞれ作成される。以下、各段ボール型シート１０Ａ，２０Ａの構成を説明する。
【００２４】
図８に示すように、外箱１０の段ボール型シート１０Ａは、４枚の連接された側面シート部１２ａ〜１２ｄと、この各側面シート部１２ａ〜１２ｄの外辺より外側に延設された底面片１１ａと、側面シート部１２ａの外辺より外側に付設された糊代部１８と、４枚の側面シート部１２ａ〜１２ｄの外辺より外側にそれぞれ延設された２枚のロック用蓋シート部１３ａ、被ロック用内蓋シート部１３ｂ及び内蓋シート部１３ｃ，１３ｄと、ロック用蓋シート部１３ａの先端部に付設されたロック部１６とから主に形成されている。各面部の境界等には折り曲げ線ａがそれぞれ形成されている。
【００２５】
４枚の側面シート部１３ａ〜１３ｄには、開放用つまみ片１４とこれに連続する切り込み線１５が形成されている。被ロック用内蓋シート部１３ｂには、ロック孔１７が形成されている。ロック部１６は、折り返し線ｂに沿って折り返す撓み係止部１６ａを有する。
【００２６】
外箱１０を組み立てるには、単一の段ボール型シート１０Ａの各面を各折り曲げ線ａに沿って所定方向に折り曲げ、且つ、糊代部１８の箇所を接着剤によって所定の対向面に接着し、これによって折り畳み形態の外箱１０を作製する。次に、この折り畳み形態の外箱１０を展開し、蓋部１３が開放された外箱１０を作製する。
【００２７】
図９に示すように、緩衝部材２０の段ボール型シート２０Ａは、４枚の連接された側面シート部２１と、このうちの１枚の側面シート部２１の一方の外辺より外側に延設された１枚の第１補助シート部２２と、４枚の側面シート部２１の他方の外辺より外側に延設された４枚の第２補助シート部２３とから主に形成されている。最外側に位置する２枚の側面シート部２１の一方の側縁には位置決め用突起片２４が、他方の側縁には位置決め用凹溝２５がそれぞれ形成されている。また、各面部の境界等には折り曲げ線ａがそれぞれ形成されている。
【００２８】
緩衝部材２０を組み立てるには、単一の段ボール型シート２０Ａの各面を各折り曲げ線ａに沿って所定方向に折り曲げる。ここで、図５に示すように、幅サイズ（胴周り）が大きく、高さが低い瓶２Ａを収容する場合には、図１０に示すように、１枚の第１補助シート部２２を折り込むことなく側面シート部２１の側面延長シートとし、４枚の第２補助シート部２３を内側に折り込んで底面緩衝シートとする。これによって、緩衝部材２０内に、幅サイズ（胴周り）が大きく、深さの浅い収容スペースを形成する。この形態の緩衝部材２０を外箱１０内に収容し、この外箱１０内に瓶２Ａを収容する。
【００２９】
外箱１０内には緩衝部材２０によって幅サイズ（胴周り）が大きく、高さが低い収容スペースが形成されるため、図４に示すように、幅サイズ（胴周り）が大きく、高さが低い瓶２Ａは、外箱１０内に水平方向及び垂直方向共に移動不能に収容される。具体的には、瓶２Ａの水平方向の移動は、４枚の側面シート部２１によって規制され、瓶２Ａの垂直方向の移動は、第１補助シート部２２と被ロック用内蓋シート部１３ｂによって規制される。
【００３０】
また、図７に示すように、幅サイズ（胴回り）が小さく、高さが高い瓶２Ｂを収容する場合には、図１１に示すように、４枚の第２補助シート部２３を側面シート部２１の内側に折り畳んで側面緩衝シートとし、１枚の第１補助シート部２２を内側スペースに折り込んで底面緩衝シートとする。これによって、緩衝部材２０内に、幅サイズ（胴周り）が小さく、深さの深い収容スペースを形成する。この形態の緩衝部材２０を外箱１０内に収容し、この外箱１０内に瓶２Ｂを収容する。
【００３１】
外箱１０内には緩衝部材２０によって幅サイズ（胴周り）が小さく、高さが高い収容スペースが形成されるため、図６に示すように、幅サイズ（胴周り）が小さく、高さが高い瓶２Ｂは、外箱１０内に水平方向及び垂直方向共に移動不能に収容される。具体的には、瓶２Ｂの水平方向の移動は、４枚の第２補助シート部２３によって規制され、瓶２Ｂの垂直方向の移動は、第１補助シート部２２と被ロック用内蓋シート部１３ｂによって規制される。
【００３２】
つまり、本発明では、緩衝部材２０の第１補助シート部２２と第２補助シート部２３を側面緩衝シートと底面緩衝シートとして選択的に使用し、且つ、その使用枚数で収容スペースの幅サイズ（胴周り）と深さを調整することによって、複数サイズの瓶２Ａ，２Ｂを同じ緩衝部材２０を用いて収容できるようにした。
【００３３】
次に、外箱１０の蓋部１３のロック作業について説明する。外箱１０の蓋部１３は、被ロック用内蓋シート部１３ｂを最初に内側スペースに折り込み、２枚の内蓋シート部１３ｃ，１３ｄを次に内側スペースに折り込み、ロック用蓋シート部１３ａを最後に内側スペースに折り込み、その先端のロック部１６をロック孔１７に挿入することによって閉じる。すると、ロック孔１７に挿入された撓み係止部１６ａが撓み復帰変形してロックされる。外箱１０を開放するには、図１２に示すように、開放用つまみ片１４をその中央を境として左右外側に引っ張り、切り込み線１５に沿って４つの側面シート部１２ａ〜１２ｄを全て破断する。この破断によって外箱１０の上端部を開口する。
【００３４】
上記実施形態では、外箱１０の蓋部１３は、４つの側面シート部１２ａ〜１２ｄの内で、互いに対向する一方の側面シート部１２ａより上方に形成されたロック用蓋シート部１３ａと、互いに対向する他方の側面シート部１３ｂより上方に形成された被ロック用内蓋シート部１３ｂと、他の２枚の側面シート部１２ｃ，１２ｄより上方に形成された内蓋シート部１３ｃ，１３ｄとを有し、ロック用蓋シート部１３ａの先端部に折り返しによる撓み係止部１６ａを有するロック部１６が設けられ、被ロック用内蓋シート部１３ｂにロック部１６が挿入されるロック孔１７が設けられ、ロック部１６がロック孔１７に挿入され、ロック孔１７に挿入された撓み係止部１６ａが撓み復帰変形してロックされる。従って、外箱１０の一部を破損しない限りロック部１６を解除できない。以上より、収容箱１にシークレット性を持たせることができる。
【００３５】
上記実施形態では、被ロック用内蓋シート部１３ｂが最初に内側スペースに折り込まれ、２枚の内蓋シート部１３ｃ，１３ｄが次に内側スペースに折り込まれ、ロック用蓋シート部１３ａが最後に内側スペースに折り込まれている。従って、外箱１０のロック状態では、外箱１０の底面側の隙間より指などを侵入させようとすると、緩衝部材２０によって侵入が阻止され、また、外箱１０の蓋部１３の隙間より指などを侵入させようとすると、２枚の内蓋シート部１３ｃ，１３ｄ及び被ロック用内蓋シート部１３ｂによって侵入が阻止される。以上より、収容箱１に高度なシークレット性を持たせることができる。
【００３６】
尚、前記実施形態では、緩衝部材２０は、４枚の側面シート部２１と、１枚の第１補助シート部２２と、４枚の第２補助シート部２３とを有する。しかし、第１補助シート部２２と第２補助シート部２３の枚数は、収容される瓶の幅サイズ（胴周り）と高さによって適宜変更される。例えば、前記実施形態より２つの瓶２Ａ，２Ｂの高さ寸法の差が小さい場合には、第１補助シート部２２を２枚又は３枚とし、第２補助シート部２３を４枚とする。また、第１補助シート部２２を１枚し、第２補助シート部２３を２枚、３枚とする。
【００３７】
さらに、側面シート部２１の枚数も４枚である必要はなく、瓶の胴周り形状によって適宜変更可能である。
【００３８】
尚、第１補助シート部２２又は第２補助シート部２３を側面緩衝シートとして使用する場合には、補助シート２２，２３の全部又は一部を２重、３重に折り畳むようにすれば、更に幅サイズ（胴周り）の小さい収容スペースを形成できる。さらに、第１補助シート部２２又は第２補助シート部２３を底面緩衝シートとして使用する場合には、補助シート２２，２３の全部又は一部を２重、３重に折り畳むようにすれば、更に深さの浅い収容スペースを形成できる。また、外箱１０の底面部１１は、前記実施形態の構造に限定されず、例えばいわゆるワンタッチ式やアメリカン式のものであっても良いことは勿論である。さらに、前記実施形態によれば、収容箱１は、その外箱１０及び緩衝部材２０を段ボール材より形成したが、厚紙、プラスチック等より形成しても良いことは勿論である。
【図面の簡単な説明】
【００３９】
【図１】本発明の一実施形態を示し、蓋部のロック後の収容箱の全体斜視図である。
【図２】本発明の一実施形態を示し、蓋部のロック前の収容箱の全体斜視図である。
【図３】本発明の一実施形態を示し、外箱のロック状態を示す断面図である。
【図４】本発明の一実施形態を示し、幅サイズ（胴周り）が大きく、高さが低い瓶を収容した状態を示す収容箱の断面図である。
【図５】本発明の一実施形態を示し、幅サイズ（胴周り）が大き、高さが低い瓶を収容する場合の緩衝部材の斜視図である。
【図６】本発明の一実施形態を示し、幅サイズ（胴周り）が小さく、高さが高い瓶を収容した状態を示す収容箱の断面図である。
【図７】本発明の一実施形態を示し、幅サイズ（胴周り）が小さく、高さが高い瓶を収容する場合の緩衝部材の斜視図である。
【図８】本発明の一実施形態を示し、外箱の段ボール型シートの平面図である。
【図９】本発明の一実施形態を示し、緩衝部材の段ボール型シートの平面図である。
【図１０】本発明の一実施形態を示し、緩衝部材の段ボール型シートの組み立て過程を示す斜視図である。
【図１１】本発明の一実施形態を示し、緩衝部材の段ボール型シートの組み立て過程を示す斜視図である。
【図１２】本発明の一実施形態を示し、一対の開放用つまみ片を外側に引っ張った状態の収容箱の斜視図である。
【図１３】従来例の収容箱の分解斜視図である。
【符号の説明】
【００４０】
１  収容箱
２Ａ  幅サイズ（胴回り）が大きく、高さが低い瓶
２Ｂ  幅サイズ（胴回り）が小さく、高さが高い瓶
１０  外箱
１１  底面部
１２  側面部
１２ａ〜１２ｄ  側面シート部
１３  蓋部
１３ａ  ロック用蓋シート部
１３ｂ  被ロック用内蓋シート部
１３ｃ，１３ｄ  内蓋シート部
１６  ロック部
１６ａ  撓み係止部
１７  ロック孔
２０  緩衝部材
２１  側面シート部
２２  第１補助シート部
２３  第２補助シート部
【図１】
2007320587.tif 000003
【図２】
2007320587.tif 000004
【図３】
2007320587.tif 000005
【図４】
2007320587.tif 000006
【図５】
2007320587.tif 000007
【図６】
2007320587.tif 000008
【図７】
2007320587.tif 000009
【図８】
2007320587.tif 000010
【図９】
2007320587.tif 000011
【図１０】
2007320587.tif 000012
【図１１】
2007320587.tif 000013
【図１２】
2007320587.tif 000014
【図１３】
2007320587.tif 000015